(57)【要約】      （修正有）【課題】十分な広さと厚さを有するプラットフォームを形成するためのトウシューズの爪先部の構造を提供する。【解決手段】複数の素材により構成される７以上の枚数の布を貼り重ねて成り、爪先部の前面に形成されるプラットフォームの面積は１０平方センチメートル以上とする。爪先部に重ねて使用される布のうち少なくとも１枚（２）は布の一部が内側又は外側に折られ、プラットフォームを構成する布の総計の厚さは５０ミリメートル以上とする。爪先部に重ねて使用される布のうち少なくとも１枚は素材に麻が使用される。【選択図】図２
0003231112.tif 000002
【実用新案登録請求の範囲】
【請求項１】
クラシックバレエで使用するトウシューズの爪先部の構造であって、
前記爪先部は複数の素材により構成される７以上の枚数の布を貼り重ねて成り、
前記爪先部の前面に形成されるプラットフォームの面積は１０平方センチメートル以上であることを特徴とするトウシューズの爪先部の構造。
【請求項２】
前記爪先部に重ねて使用される前記布のうち少なくとも1枚は前記布の一部が内側又は外側に折られ、前記プラットフォームを構成する前記布の総計の厚さは５０ミリメートル以上であることを特徴とする請求項１記載のトウシューズの爪先部の構造。
【請求項３】
前記爪先部に重ねて使用される前記布のうち少なくとも1枚は素材に麻が使用されていることを特徴とする請求項１又は２記載のトウシューズの爪先部の構造。
【考案の詳細な説明】
【技術分野】
【０００１】
本考案は、クラシックバレエで使用するトウシューズの爪先部の構造に関する。
【背景技術】
【０００２】
クラシックバレエを踊るときには、トウシューズと呼ばれる特殊な靴を履く。この靴の特徴は、爪先部に平たく作った部分があり、これを「プラットフォーム」という。バレエのテクニックとして、足の先で立つ「ポアント」と呼ばれる動作や爪先で立つ動作があるが、プラットフォームは、この動作をするときに床との着地面に使用され、プラットフォームの存在によりバレリーナは足の先で立つことができる。
【０００３】
トウシューズの製造方法は、抜型を使い裁断したパーツごとの材料を立体的に縫い合わせていく製甲という方法が用いられる。その中でも、爪先部分の作業は、木型に合わせて、異なる素材より成る複数の芯（布）を糊で貼り合わせていくもので、この作業により平らで硬いプラットフォームが形成される。
【０００４】
通常この作業に用いられる芯(布)は、一般的には、図１に示されている２種の形状を有する６枚の布である。各々の芯の素材は、１帆布、２テキソン布（「テキソン」は商品名）、３テキソン布（「テキソン」は商品名）、４帆布、５ネル布、６サテン布、であって、１から６の順に、各図の網掛けで示されている部分（１１乃至６１）を切って、形を整えながら糊貼りしていく。
【０００５】
なかでも、２及び３のテキソン布（「テキソン」は商品名）は他の布より硬質であって、これにより、プラットフォームの平面性と厚さが確保される。
【考案の概要】
【考案が解決しようとする課題】
【０００６】
前述したように、バレエには足の先で立つ「ポアント」と呼ばれる動作や爪先で立つ動作があるが、このときには、トウシューズが着地面に接するプラットフォームの面積が小さいため、初心者は爪先立ちの時に安定性を保つことが難しく、これらの動作ができるようになるには多くの練習を要することが多い。
【０００７】
ポアント時又は爪先で立った時の安定性を増すためには、十分な広さと、これを許す厚さと硬度を有するプラットフォームを備えたトウシューズを作成すればよいのであるが、従来の素材と作成方法では、構造上、プラットフォームを広く厚く形成することは難しい。
【０００８】
上述の問題を解決すべく、本考案においては、十分な広さと厚さを有するプラットフォームを形成するためのトウシューズの爪先部の構造を提供することを課題とする。
【課題を解決するための手段】
【０００９】
上記課題を解決するために、請求項１のトウシューズの爪先部の構造は、複数の素材により構成される７以上の枚数の布を貼り重ねて成り、前記爪先部の前面に形成されるプラットフォームの面積は１０平方センチメートル以上であることを特徴とする
【００１０】
請求項２のトウシューズの爪先部の構造は、請求項１の爪先部の構造であって、前記爪先部に重ねて使用される前記布のうち少なくとも1枚は前記布の一部が内側又は外側に折られ、前記プラットフォームを構成する前記布の総計の厚さは５０ミリメートル以上であることを特徴とする。
【００１１】
請求項３のトウシューズの爪先部の構造は、請求項１又は２の爪先部の構造であって、前記爪先部に重ねて使用される前記布のうち少なくとも1枚は素材に麻が使用されていることを特徴とする。
【考案の効果】
【００１２】
本考案の爪先部の構造を有するトウシューズは、従来のものと比較して、広くて厚いプラットフォームを備えるため、バレリーナがポアント時又は爪先で立った時のぐらつきが減少し、安心感を得ることが出来る。
【図面の簡単な説明】
【００１３】
【図１】従来のトウシューズの爪先部に使用される各布の平面図である。
【図２】本実施形態のトウシューズの爪先部に使用される各布の平面図である。
【図３】（Ａ）従来のトウシューズのプラットフォームのサイズを示す部分平面図である。（Ｂ）本実施形態のトウシューズの爪先部に形成されるプラットフォームのサイズを示す部分平面図である。
【考案を実施するための形態】
【００１４】
本実施形態のトウシューズの爪先部の構造（以下、単に「本構造」という。）について図を用いて説明する。本実施形態のトウシューズの爪先部の構造は請求項３に記載の爪先部の構造である。
【００１５】
従来のトウシューズの爪先部の構造については、上記背景技術で図１を用いて記載した通りであるが、本構造は従来のものと比較して、以下の点で異なる。
【００１６】
まず、使用される布の枚数と形状が異なる。
従来の爪先部に使用されていた布は通常6枚以下であって、形状としては、図１に示すように、比較的直線の辺が多い３種類のものが使用されている。製甲の過程で、各布は、貼り付けた後、木型からはみ出す網掛け部分（１１乃至６１）をカットする。このため、爪先に形成されるプラットフォームの広さは、後述する本構造のものと比べて限定的となる。
【００１７】
これに対して、本構造では、図２に示されるように、比較的曲線の辺が多い４種類の形状の布が８枚使用され、これによって従来のものより広く厚いプラットフォームが形成される。製甲においても、角をカットする従来の方法とは異なり、各布の木型からはみ出す部分については、2枚の麻布（図２の３，８）を除いて、すべて外側に折り込む（不図示）。この折り込み部分が二重になるため、形成されるプラットフォームは、従来と比べて、厚く硬いものとなる。また、図２に示すように、テキソン布（「テキソン」は商品名）２については、貼付け前に、折れ線２１で内側に折られ、これにより全体の厚さと硬度が、さらに増す。
【００１８】
次に、本構造では使用される布の素材が一部異なる。
従来は通常、帆布、テキソン布（「テキソン」は商品名）、ネル布及びサテン布の４種類の布が使用されていて、その中で比較的硬いテキソン布（「テキソン」は商品名）がプラットフォームの硬度を保持していた。
【００１９】
これに対して、本構造では、帆布、テキソン布（「テキソン」は商品名）、サテン布を使用するが、柔らかいネル布は使用せず、その代わり、比較的面積が小さい2枚の麻布（図２の３，８）を使用している。これが、上述の布の枚数と折り込みに加えて、広いプラットフォームの厚さと硬さを担保している。
【００２０】
図３は、従来のトウシューズのプラットフォームと、本構造により形成される形成されるプラットフォームのサイズの比較を示す。面積にすると、本構造を有するトウシューズのプラットフォーム（Ｂ）は、従来のもの（Ａ）よりも、２平方センチ乃至３平方センチほど広くなり、ポアント時や爪先立ちの時の安定性を確保する。また、プラットフォームの厚さは、従来のものが３５ミリメートルほどであったのに対して、本構造のものは５２ミリメートルとなり、ポアント時のバレリーナの体重を支える。
【符号の説明】
【００２１】
（図１）
１      帆布
１１    切取り部分（略図）
２      テキソン布（「テキソン」は商品名）
２１    切取り部分（略図）
３      テキソン布（「テキソン」は商品名）
３１    切取り部分（略図）
４      帆布
４１    切取り部分（略図）
５      ネル布
５１    切取り部分（略図）
６      サテン布
６１    切取り部分（略図）
（図２）
１      帆布
２      テキソン布（「テキソン」は商品名）
２１    折り込み線（略図）
３      麻布
４      テキソン布（「テキソン」は商品名）
５      テキソン布（「テキソン」は商品名）
６      麻布
７      帆布
８      サテン布
（図３）
Ａ      従来のプラットフォーム
Ｂ      本考案のプラットフォーム
【図１】
0003231112.tif 000003
【図２】
0003231112.tif 000004
【図３】
0003231112.tif 000005